(57)【要約】 【課題】  殺菌能力の低下を簡易に判定可能な電解殺菌水、その製造方法および装置を提供することにある。【解決手段】  電解殺菌水に微量のヨウ素化合物を添加する。すると、このヨウ素化合物が、電解殺菌水に含まれる次亜塩素酸と反応し、ヨウ素を生成する。生じたヨウ素により電解殺菌水は褐色に着色する。この電解殺菌水を放置等すると、殺菌成分である次亜塩素酸は有機物との反応、紫外線の照射による分解等によって消費され、電解殺菌水の殺菌作用が低下していく。同時に、ヨウ素も気化、有機物との反応等により濃度が低下し、電解殺菌水の色が徐々に消失していく。このため、ヨウ素が消費されて色の消失が生じたときには、次亜塩素酸もある程度の量が消費されて電解殺菌水の殺菌能力が低下した状態となっている。したがって、着色の有無や退色の度合いを目視で確認するのみで、電解殺菌水の殺菌能力の低下を簡易に確認することができる。【選択図】  図１
2005246211.tif 000002
【特許請求の範囲】
【請求項１】
塩化物イオンを含む電解質を含有する水を電気分解することにより製造される酸性水を含む電解殺菌水であって、
ヨウ素化合物が添加されていることを特徴とする電解殺菌水。
【請求項２】
塩化物イオンを含む電解質を含有する水中に一対の電極を設置して電気分解を行うことにより電解殺菌水を製造する方法であって、
前記水または電気分解により生成する酸性水にヨウ素化合物を添加することを特徴とする電解殺菌水の製造方法。
【請求項３】
一対の電極を備えた電解槽と、この電解槽に水を供給する給水路と、前記電解槽において電気分解により生成する酸性水を前記電解槽から流出させる流出路とを備える電解殺菌水の製造装置であって、
前記給水路または前記流出路にはヨウ素化合物を供給するための供給路が設けられていることを特徴とする電解殺菌水の製造装置。
【発明の詳細な説明】
【技術分野】
【０００１】
本発明は、電解殺菌水、電解殺菌水を製造する方法および装置に関する。
【背景技術】
【０００２】
塩化ナトリウム、塩化カリウム等の電解質を添加した水を電気分解すると、陽極側に強酸性、陰極側に強アルカリ性の電解水が生成する。陽極−陰極間にイオン交換膜などの隔膜を設置する有隔膜電解法により電気分解を行うと、陽極側からは次亜塩素酸を含む強酸性水が、陰極側からは強アルカリ性水が得られる。また、陽極−陰極間に隔膜を設置しない無隔膜電解法により電気分解を行うと、生じた強酸性水および強アルカリ性水が反応して次亜塩素酸ナトリウムを含む弱酸性水が得られる。これらのうち、強酸性水および弱酸性水（本明細書では、これらを総称して「酸性水」という）は、含まれる次亜塩素酸の作用により、強力な殺菌効果を示すことが知られており、電解殺菌水として使用されている。
【特許文献１】特開２００４−８９７３公報
【発明の開示】
【発明が解決しようとする課題】
【０００３】
ところで、次亜塩素酸は、有機物との反応、紫外線の照射による分解等により容易に消費される。このため、電解殺菌水を放置しておくと、経時的に次亜塩素酸が失われて殺菌能力が低下してしまう。しかし、次亜塩素酸水溶液は無色透明であり、そのような状態となっても見た目の変化は起こらない。このため、殺菌能力の有無を判断するためには、ｐＨの測定、残留塩素の測定、酸化還元電位（ＯＲＰ）等の煩雑な測定を行うより他なかった。
本発明は、上記した事情に鑑みてなされたものであり、その目的は、殺菌能力の低下を簡易に判定可能な電解殺菌水、その製造方法および装置を提供することにある。
【課題を解決するための手段】
【０００４】
上記の課題を解決するための請求項１の発明に係る電解殺菌水は、塩化物イオンを含む電解質を含有する水を電気分解することにより製造される酸性水を含む電解殺菌水であって、ヨウ素化合物が添加されていることを特徴とする。
【０００５】
請求項２の発明は、塩化物イオンを含む電解質を含有する水中に一対の電極を設置して電気分解を行うことにより電解殺菌水を製造する方法であって、前記水または電気分解により生成する酸性水にヨウ素化合物を添加することを特徴とする。
【０００６】
請求項３の発明は、一対の電極を備えた電解槽と、この電解槽に水を供給する給水路と、前記電解槽において電気分解により生成する電解水を前記電解槽から流出させる流出路とを備える電解殺菌水の製造装置であって、前記給水路または前記流出路にヨウ素化合物を供給するための供給路が設けられていることを特徴とする。
【０００７】
なお、本発明においてヨウ素化合物としては、ヨウ化カリウム、ヨウ化ナトリウム、ヨウ化マグネシウム、ヨウ化カルシウムなどのヨウ素イオンを含む無機塩を使用することができる。
また、電気分解は陽極と陰極の間にイオン交換膜を設ける有隔膜電解法によって行ってもよく、隔膜を設けない無隔膜電解法によって行ってもよい。有隔膜電解法によって行う場合には、陽極側に生成する強酸性電解水を電解殺菌水に使用すればよい。
【発明の効果】
【０００８】
本発明によれば、電解殺菌水に微量のヨウ素化合物を添加する。すると、このヨウ素化合物（例えばヨウ化カリウム）が、電解殺菌水に含まれる次亜塩素酸と下記式（１）のように反応し、ヨウ素を生成する。
【０００９】
ＨＣｌＯ＋２ＫＩ→Ｉ２＋ＫＣｌ＋ＫＯＨ・・・（１）
【００１０】
生じたヨウ素により電解殺菌水は褐色に着色する。
さて、この電解殺菌水を放置、または殺菌のために使用すると、殺菌成分である次亜塩素酸は有機物との反応、紫外線の照射による分解等によって消費され、電解殺菌水の殺菌作用が低下していく。同時に、ヨウ素も気化、有機物との反応等により濃度が低下し、電解殺菌水の色が徐々に消失していく。
【００１１】
このため、ヨウ素が消費されて色の消失が生じたときには、次亜塩素酸もある程度の量が消費されて電解殺菌水の殺菌能力が低下した状態となっている。したがって、着色の有無や退色の度合いを目視で確認するのみで、電解殺菌水の殺菌能力の低下を簡易に確認することができる。
【００１２】
ヨウ素化合物は、電気分解前の水に添加してもよく、電気分解後に得られた電解水に添加してもよいが、電気分解前に添加することが好ましい。ヨウ素による発色が強く起こるためである。この理由は必ずしも明らかではないが、ヨウ素化合物が次亜塩素酸による酸化作用に加え、電気分解による酸化作用も受けることにより、ヨウ素が多く生成されるためと推測される。
【発明を実施するための最良の形態】
【００１３】
＜第１実施形態＞
以下、本発明を具体化した第１実施形態について、図１を参照しつつ詳細に説明する。
図１には、本実施形態の電解殺菌水の製造装置１０の概略図を示す。この製造装置１０は、陽極１２と陰極１３との間にイオン交換膜１４を設けた２室型電解槽タイプのものである。
【００１４】
この製造装置１０には、水１を貯留可能な電解槽１１が備えられている。電解槽１１の内部には、陽イオンを選択的に通過させるイオン交換膜１４が設けられており、これにより内部が陽極室１５、陰極室１６の２室に仕切られている。陽極室１５、陰極室１６には、それぞれ陽極１２および陰極１３（本発明の一対の電極に該当する）が設置されている。この陽極１２および陰極１３は、それぞれ図示しない直流電源に接続されている。
【００１５】
電解槽１１には、内部に水１を供給するための給水管１７（本発明の給水路に該当する）が接続されている。この給水管１７の一端側は図示しない水道に接続されており、他端側は二股に分かれてそれぞれ陽極室１５、陰極室１６に接続されている。二股に分かれた給水管１７のうち、陽極室側分岐１７Ａには、電解質としての塩化ナトリウムを溶解した水溶液２、およびヨウ素化合物としてのヨウ化カリウムを溶解した水溶液３を電解槽１１に供給するための電解質供給管２０、およびヨウ素供給管２１（本発明の供給路に該当する）がそれぞれ分岐接続されている。この２つの供給管２０、２１は、それぞれ塩化ナトリウム水溶液２およびヨウ化カリウム水溶液３を貯留可能な供給タンク２２、２３に連結されている。両供給管２０、２１には、塩化ナトリウム水溶液２およびヨウ化カリウム水溶液３の流入量を制御するためのポンプ２４が設けられている。
【００１６】
また、電解槽１１には、陽極室１５に生成した強酸性電解水、および陰極室１６に生成した強アルカリ性電解水を外部に排出するための排出管２５Ａ、２５Ｂ（本発明の流出路に該当する）が接続されている。
【００１７】
この製造装置１０を用いて電解殺菌水を製造する場合には、水道から水１を給水管１７を介して電解槽１１内に供給する。このとき、電解質供給管２０、およびヨウ素供給管２１を介して塩化ナトリウム水溶液２およびヨウ化カリウム水溶液３を供給し、陽極室１５に流れ込む水１にのみ塩化ナトリウムおよびヨウ化カリウムを添加する。添加量は、水溶液２、３の流入量をポンプ２４で制御することにより調整する。
【００１８】
そして、陽極１２および陰極１３が水１に浸漬された状態で、両電極１２，１３間に直流電圧を印加して電気分解を行う。これにより、陽極１２の周囲に次亜塩素酸を含む強酸性電解水が、陰極１３の付近に強アルカリ性電解水が生成する。同時に、生成した次亜塩素酸の一部がヨウ化カリウムと反応してヨウ素が生成し、強酸性電解水は褐色に着色される。
生成した強酸性電解水、および強アルカリ性電解水は、それぞれ排出管２５Ａ、２５Ｂから排出される。これらのうち強酸性電解水を採取し、電解殺菌水として使用する。
【００１９】
さて、この電解殺菌水を放置、または殺菌のために使用すると、殺菌成分である次亜塩素酸は有機物との反応、紫外線の照射による分解等によって消費され、電解殺菌水の殺菌作用が低下していく。同時に、ヨウ素も気化、有機物との反応等により濃度が低下し、電解殺菌水の色が徐々に消失していく。次亜塩素酸の消費速度とヨウ素の消費速度との間には直線関係が成り立つので、製造直後の電解殺菌水中の残留塩素濃度とヨウ素の濃度が一定であれば、色が消失した時点での残留塩素濃度は一定である。したがって、着色の有無や退色の度合いを目視で確認するのみで、電解殺菌水の殺菌能力の低下を簡易に確認することができる。
【００２０】
また、電解膜を仕切る隔膜として陽イオンを選択的に通過させるイオン交換膜１４を使用している。したがって、供給管２０、２１を陽極室側分岐１７Ａに接続し、塩化ナトリウム水溶液２、およびヨウ化カリウム水溶液３を陽極室１５のみに供給すれば、塩化物イオン、ヨウ化物イオンは陰極室１６側へ移動できず、陽極室１５へ留まる。これにより、塩化物イオン、ヨウ化物イオンを無駄なく次亜塩素酸、ヨウ素の生成に利用できるから、塩化ナトリウムおよびヨウ化カリウムの添加量を少なくすることができ、効率的である。
【００２１】
＜第２実施形態＞
以下、本発明の第２実施形態について、図２を参照しつつ説明する。なお、第１実施形態と同一の構成には同一の符号を付して説明を省略する。
【００２２】
本実施形態の製造装置３０は、第１実施形態と同様に、２室型電解槽タイプのものであって、電解槽３１を備えている。電解槽３１の内部は、中性膜３２によって陽極室１５、陰極室１６の２室に仕切られている。第１実施形態のイオン交換膜１４と異なり、この中性膜３２はイオンを非選択的に透過するものである。
また、この電解槽３１には、第１実施形態と同様に、給水管３３が接続されている。給水管３３において分岐点よりも上流側（水道寄り）の位置には、塩化ナトリウム水溶液２、およびヨウ化カリウム水溶液３を電解槽１１に供給するための電解質供給管３４、およびヨウ素供給管３５がそれぞれ分岐接続されている。
【００２３】
この製造装置３０を用いて電解殺菌水を製造する場合には、第１実施形態と同様に、水道から水１を給水管３３を介して電解槽３１内に供給する。このとき、電解質供給管３４、およびヨウ素供給管３５を介して塩化ナトリウム水溶液２およびヨウ化カリウム水溶液３を供給し、水１に塩化ナトリウムおよびヨウ化カリウムを添加する。このとき、２つの供給管３４、３５は給水管１７の分岐よりも上流側に接続されているので、陽極室１５、陰極室１６の双方に流れ込む水１に塩化ナトリウムおよびヨウ化カリウムが添加される。
【００２４】
そして、両電極１２，１３間に直流電圧を印加して電気分解を行う。これにより、第１実施形態と同様に、陽極１２の周囲に次亜塩素酸を含む強酸性電解水が、陰極１３の付近に強アルカリ性電解水が生成するとともに、強酸性電解水は褐色に着色される。これらのうち強酸性電解水を採取し、電解殺菌水として使用する。
着色された電解殺菌水は、第１実施形態と同様に、着色の有無や退色の度合いを目視で確認するのみで、電解殺菌水の殺菌能力の低下を簡易に確認することができる。
【００２５】
＜第３実施形態＞
以下、本発明の第３実施形態について、図３を参照しつつ説明する。なお、第１実施形態と同一の構成には同一の符号を付して説明を省略する。
【００２６】
本実施形態の製造装置４０は、３室型電解槽タイプのものであって、第１実施形態と同様に電解槽４１を備えている。電解槽４１の内部は、２つのイオン交換膜４２Ａ、４２Ｂが並列に設置されることにより、陽極室４３、陰極室４４とその中間に位置する中間室４５の３室に仕切られている。陽極室４３側のイオン交換膜４２Ａは陰イオンのみを選択的に通過させる陰イオン交換膜、陰極室４４側のイオン交換膜４２Ｂは陽イオンのみを選択的に通過させる陽イオン交換膜である。陽極室には陽極４６が、陰極室には陰極４７が、それぞれイオン交換膜４２Ａ、４２Ｂに密着するようにして設置されている。
【００２７】
この電解槽４１には、第１実施形態と同様に、陽極室４３および陰極室４４に接続された給水管４８が設けられている。二股に分かれた給水管４８のうち、陽極室側分岐４８Ａには、ヨウ化カリウム水溶液３を電解槽４１に供給するためのヨウ素供給管４９が分岐接続されている。
【００２８】
電解槽４１の中間室４５には、塩化ナトリウム水溶液２を供給するための電解質供給管５０、および電気分解後の塩化ナトリウム水溶液２を排出するための電解質排出管５１が接続されている。電解質供給管５０は、ポンプ２４を介して塩化ナトリウム水溶液２を貯留可能な供給タンク２２に連結されている。また、電解質排出管５１から排出された塩化ナトリウム水溶液２は、一部が廃棄され、一部が供給タンク２２に戻されて再利用されるようになっている。
【００２９】
この製造装置４０を用いて電解殺菌水を製造する場合には、水道から水１を給水管４８を介して電解槽１１の陽極室４３および陰極室４４内に供給する。同時に、塩化ナトリウム水溶液２を中間室４５に供給する。このとき、ヨウ素供給管４９を介してヨウ化カリウム水溶液３を供給し、陽極室４３に流れ込む水１にのみヨウ化カリウムを添加する。
【００３０】
そして、両電極４６、４７間に直流電圧を印加して電気分解を行う。すると、中間室４５に存在するナトリウムイオンが陰極室４４に、塩化物イオンが陽極室４３に移動し、陽極室４３に次亜塩素酸を含む強酸性電解水が、陰極室４４に強アルカリ性電解水が生成する。それとともに、強酸性電解水は褐色に着色される。これらのうち強酸性電解水を採取し、電解殺菌水として使用する。
着色された電解殺菌水は、第１実施形態と同様に、着色の有無や退色の度合いを目視で確認するのみで、電解殺菌水の殺菌能力の低下を簡易に確認することができる。
【００３１】
＜第４実施形態＞
以下、本発明の第４実施形態について、図４を参照しつつ説明する。なお、第１実施形態と同一の構成には同一の符号を付して説明を省略する。
【００３２】
本実施形態の製造装置６０は、電解槽６１の内部が隔膜によって仕切られていない無隔膜電解槽タイプのものである。電解槽６１の内部には、陽極１２および陰極１３が設置されている。この電解槽６１には、内部に水を供給するための給水管６２が接続されている。この給水管６２の端部は図示しない水道に接続されている。この給水管６２には、電解質としての塩化ナトリウムを溶解した水溶液２、およびヨウ素化合物としてのヨウ化カリウムを溶解した水溶液３を電解槽６１に供給するための電解質供給管６３、およびヨウ素供給管６４がそれぞれ分岐接続されている。また、電解槽６１には、生成した電解水を外部に排出するための排出管６５が接続されている。
【００３３】
この製造装置６０を用いて電解殺菌水を製造する場合には、水道から水１を給水管６２を介して電解槽６１内に供給する。このとき、電解質供給管６３、およびヨウ素供給管６４を介して塩化ナトリウム水溶液２およびヨウ化カリウム水溶液３を供給し、水１に塩化ナトリウムおよびヨウ化カリウムを添加する。そして、陽極１２および陰極１３が水１に浸漬された状態で、両電極１２，１３間に直流電圧を印加して電気分解を行う。これにより、陽極１２の周囲に次亜塩素酸を含む強酸性電解水が、陰極１３の付近に強アルカリ性電解水が生成する。同時に、生成した次亜塩素酸の一部がヨウ化カリウムと反応してヨウ素が生成し、強酸性電解水は褐色に着色される。強酸性電解水と強アルカリ性電解水とは、電解槽６１内で混合されて次亜塩素酸ナトリウムを含む弱酸性電解水となる。これを排出管６５から採取して、電解殺菌水として使用する。
着色された電解殺菌水は、第１実施形態と同様に、着色の有無や退色の度合いを目視で確認するのみで、電解殺菌水の殺菌能力の低下を簡易に確認することができる。
【００３４】
＜その他の実施形態＞
１）例えば図５に示すように、２室型電解槽タイプの製造装置７０（上記第１実施形態と同タイプの製造装置）において、給水管１７の陽極室側分岐１７Ａに分岐接続された１本の混合水供給管７１から、塩化ナトリウムとヨウ化カリウムとを共に溶解した混合水溶液７２を供給してもよい。
なお、図６に示す製造装置７３（上記第２実施形態と同タイプの製造装置）のように、混合水供給管７４は、給水管３３において分岐点よりも上流側の位置に接続されていてもよい。さらに、図７に示すような無隔膜電解槽タイプの製造装置７５（上記第４実施形態と同タイプの製造装置）においても、同様に給水管６２に混合水供給管７６を接続し、塩化ナトリウムとヨウ化カリウムとを共に溶解した混合水溶液７２を供給してもよい。
【００３５】
２）ヨウ化カリウム水溶液３を水１の給水路ではなく、電解水の流出路に供給してもよい。すなわち、図８〜図１０に示すように、２室型および３室型の製造装置８０、８１、８２（上記第１、第２、第３実施形態と同タイプの製造装置）においては、電解槽１１、３１、４１の陽極室側の排出管２５Ａにヨウ素供給管８３を分岐接続してもよい。また、図１１に示す無隔膜電解槽タイプの製造装置８４（上記第４実施形態と同タイプの製造装置）においては、弱酸性電解水の排出管６５にヨウ素供給管８５を分岐接続してもよい。
【実施例】
【００３６】
以下、実施例を挙げて本発明をさらに詳細に説明する。
＜実施例１−１＞
発色に必要なヨウ素化合物の最低濃度を調べる実験を行った。
所定濃度の次亜塩素酸ナトリウム水溶液を調製した。ビュレットを使用してこの水溶液に１重量％のヨウ化ナトリウム水溶液を滴下した。次亜塩素酸ナトリウム水溶液が発色したときの次亜塩素酸ナトリウム水溶液中のヨウ化ナトリウム濃度を発色に必要な最低濃度とした。次亜塩素酸ナトリウムの濃度を変化させて、発色に必要なヨウ化ナトリウムの最低濃度を調べた。
【００３７】
＜実施例１−２＞
実施例１−１と同様にして次亜塩素酸ナトリウム水溶液を調製し、塩酸を加えてｐＨを２．４に調整した。この水溶液を用いて実施例１−１と同様にして、発色に必要なヨウ化ナトリウムの最低濃度を調べた。なお、ｐＨを２．４に調製したのは、次亜塩素酸ナトリウム水溶液を、電気分解によって得られた酸性水により近い状態とするためである。すなわち、酸性水中、および次亜塩素酸ナトリウム水溶液中においては、ＣｌＯ−、（次亜塩素酸イオン）、ＨＯＣｌ（次亜塩素酸）、Ｃｌ２（塩酸）という３種の科学種が平衡状態で存在し、これらの相対的な割合は、ｐＨによって決まる。酸性水はｐＨが約２．４であり、次亜塩素酸が優勢な状態にある。したがって、本実施例では、ｐＨを調製することによって、水溶液中の化学種の平衡状態が酸性水に近い状態となるようにした。
【００３８】
＜実施例２−１＞
電解水生成装置を使用して水の電気分解を行い、酸性水を得た。この酸性水の残留塩素濃度を測定したところ、４８．８ｐｐｍであった。この酸性水に、実施例１−１と同様にして、酸性水が発色するまで１重量％のヨウ化ナトリウム水溶液を滴下した。酸性水が発色したときのヨウ化ナトリウム水溶液の添加量を最低添加量とした。酸性水に加えるヨウ化ナトリウム水溶液を最低添加量と同量、２倍量、３倍量加えた３種の電解殺菌水を調製した。
これらの電解殺菌水１５０ｍｌをそれぞれペットボトルに詰め、室温で、蓋を開けた状態でヨウ素の褐色が消失するまで放置した。消失後の残留塩素濃度を測定した。
【００３９】
＜実施例２−２＞
残留塩素濃度１５．３ｐｐｍの酸性水を用いて、上記実施例２−１と同様に電解殺菌水を調整し、試験を行った。なお、酸性水の残留塩素濃度の調整は、電解槽に供給する水量を調節することによって行った。
【００４０】
＜実施例２−３＞
上記実施例２−２で得られた酸性水を水道水で約２倍に希釈することにより、残留塩素濃度７．３ｐｐｍの酸性水を調製した。これを用いて、上記実施例２−１と同様に電解殺菌水を調整し、試験を行った。
【００４１】
＜実施例２−４＞
ペットボトルに詰める電解殺菌水の量を５０ｍｌとした他は、実施例２−１と同様にして試験を行った。
【００４２】
＜実施例２−５＞
ペットボトルに詰める電解殺菌水の量を５０ｍｌとした他は、実施例２−２と同様にして試験を行った。
【００４３】
＜実施例２−６＞
ペットボトルに詰める電解殺菌水の量を５０ｍｌとした他は、実施例２−３と同様にして試験を行った。
【００４４】
［結果と考察］
１）次亜塩素酸ナトリウム水溶液のヨウ素化合物による発色
ｐＨ無調製の次亜塩素酸ナトリウム水溶液（実施例１−１）、およびｐＨを２．４に調製したもの（実施例１−２）について、次亜塩素酸ナトリウム濃度と発色に必要なヨウ化ナトリウムの最低濃度との関係を示すグラフを図１２に示した。
図１２より、次亜塩素酸ナトリウム濃度のおおよそ１／１００の濃度となるようにヨウ化カリウムを加えると発色することが分かった。
【００４５】
２）ヨウ素化合物を添加した電解殺菌水の色消失
実施例２−１〜２−３について、酸性水の残留塩素濃度、ヨウ化ナトリウム水溶液の添加量（酸性水１００ｍｌに対して）、電解殺菌水のｐＨ、色消失までの時間、色消失時の電解殺菌水の残留塩素濃度を表１に示した。また、ヨウ化ナトリウムの添加量と電解殺菌水の残留塩素濃度との関係を示すグラフを図１３に示した。実施例２−４〜２−６についても、同様に表２および図１４に示した。なお、図１３、図１４中の斜線部分は電解殺菌水が発色している領域を示す。
【００４６】
【表１】
2005246211.tif 000003
【００４７】
【表２】
2005246211.tif 000004
【００４８】
表１、表２および図１３、図１４より、残留塩素濃度の初期濃度が一定であれば、ヨウ化ナトリウム水溶液の添加量と、色消失時の残留塩素濃度との間にはほぼ直線関係があるといえる。このことから、目的の残留塩素濃度でヨウ素の色が消失するように、残留塩素濃度の初期濃度に応じてヨウ化ナトリウムの添加量を調整すれば、殺菌能力が所定以下となったときに色が消失する電解殺菌水を調製することができる。
【図面の簡単な説明】
【００４９】
【図１】第１実施形態における電解殺菌水の製造装置の概略図
【図２】第２実施形態における電解殺菌水の製造装置の概略図
【図３】第３実施形態における電解殺菌水の製造装置の概略図
【図４】第４実施形態における電解殺菌水の製造装置の概略図
【図５】その他の実施形態における電解殺菌水の製造装置の概略図−１
【図６】その他の実施形態における電解殺菌水の製造装置の概略図−２
【図７】その他の実施形態における電解殺菌水の製造装置の概略図−３
【図８】その他の実施形態における電解殺菌水の製造装置の概略図−４
【図９】その他の実施形態における電解殺菌水の製造装置の概略図−５
【図１０】その他の実施形態における電解殺菌水の製造装置の概略図−６
【図１１】その他の実施形態における電解殺菌水の製造装置の概略図−７
【図１２】次亜塩素酸ナトリウム水溶液について、次亜塩素酸ナトリウム濃度と発色に必要なヨウ化ナトリウムの最低濃度との関係を示すグラフ
【図１３】電解殺菌水を１５０ｍｌとした場合の、ヨウ化ナトリウムの添加量と電解殺菌水の残留塩素濃度との関係を示すグラフ
【図１４】電解殺菌水を５０ｍｌとした場合の、ヨウ化ナトリウムの添加量と電解殺菌水の残留塩素濃度との関係を示すグラフ
【符号の説明】
【００５０】
１…水
１０…製造装置
１１…電解槽
１２…陽極（電極）
１３…陰極（電極）
１７…給水管（給水路）
２５Ａ…排出管（流出路）
２１…ヨウ素供給管（供給路）
【図１】
2005246211.tif 000005
【図２】
2005246211.tif 000006
【図３】
2005246211.tif 000007
【図４】
2005246211.tif 000008
【図５】
2005246211.tif 000009
【図６】
2005246211.tif 000010
【図７】
2005246211.tif 000011
【図８】
2005246211.tif 000012
【図９】
2005246211.tif 000013
【図１０】
2005246211.tif 000014
【図１１】
2005246211.tif 000015
【図１２】
2005246211.tif 000016
【図１３】
2005246211.tif 000017
【図１４】
2005246211.tif 000018